(57)【要約】【課題】  ネットプリントシステムにおいて、他のユーザの注文履歴を参照しておすすめ画像を選択・提示する。【解決手段】  ネットプリントシステム１は、Ｗｅｂサーバ100、ユーザ名とグループなどのユーザ情報を管理するユーザ管理装置101、画像データを保持する画像保存装置102、各ユーザの注文履歴を保持する注文履歴管理装置103、注文を受け付ける画像プリント受注装置104、複数のプリント注文装置200a，200bから構成される。ユーザがプリント注文装置200aからおすすめ画像要求を送信すると、Ｗｅｂサーバ100は、ユーザ管理装置101が保持するユーザ情報から該ユーザが所属するグループを特定し、該グループの他のユーザの注文履歴を注文履歴管理装置103から読み込み、該注文履歴を参照しておすすめ画像を選択し、該画像に対応する画像データを画像保存装置102から読み込み、該画像データをプリント注文装置200aへ送信する。【選択図】          図１
2006178743.tif 000002
【特許請求の範囲】
【請求項１】
ネットプリントシステムであって、
ネットワークを管理するサーバ装置と、
前記サーバ装置が有する、画像データを保存する画像データ保存装置と、
前記サーバ装置が有する、注文履歴を保存する注文履歴保存装置と、
前記サーバ装置が有する、共通の注文傾向を有するユーザから構成される複数のグループを管理し、各ユーザの所属するグループを示す情報を保存するユーザ管理装置と、
前記サーバ装置が有する、画像プリントの注文を受ける画像プリント受注装置と、
前記ネットワークに接続され、前記ユーザが、当該ネットワークを経由して前記画像データを閲覧し、前記画像データの中から任意の画像データを選択し、前記選択した画像データのプリントを注文するための指示を出すことが可能な、複数のプリント注文装置であって、おすすめ画像の要求を送信可能なプリント注文装置、
を備え、
前記サーバ装置は、前記プリント注文装置により前記おすすめ画像の要求を送信したユーザが所属するグループを前記ユーザ管理装置から特定し、前記注文履歴保存装置に保存されている前記グループに属する他のユーザの注文履歴を参照しておすすめ画像を決定し、前記画像データ保存装置から該決定したおすすめ画像に対応する画像データを読み込み、前記読み込んだ画像データを前記おすすめ画像の要求を送信したプリント注文装置におすすめ画像として送信する、
ことを特徴とするネットプリントシステム。
【請求項２】
前記サーバ装置は、前記注文履歴を参照しておすすめ画像を決定する際に、前記注文履歴から最近注文された画像を特定し、当該特定された画像をおすすめ画像とすること、
を特徴とする請求項１に記載のネットプリントシステム。
【請求項３】
前記サーバ装置は、前記注文履歴を参照しておすすめ画像を決定する際に、前記注文履歴から最も注文された回数が多い画像を特定し、当該特定された画像をおすすめ画像とすること、
を特徴とする請求項１に記載のネットプリントシステム。
【請求項４】
前記サーバ装置は、前記注文履歴を参照しておすすめ画像を決定する際に、前記注文履歴から、一定期間内で最も注文された回数が多い画像を特定し、当該特定された画像をおすすめ画像とすること、
を特徴とする請求項１に記載のネットプリントシステム。
【請求項５】
共通のプリント注文傾向を有する複数のユーザで構成される複数のグループを有するネットワークであって、当該ネットワークを介して前記複数のユーザが共有する複数の画像データから、おすすめ画像を選択し提示する方法であって、
前記ネットワークに接続されたプリント注文装置からユーザが送信したおすすめ画像の要求を受信し、
前記おすすめ画像の要求を送信したユーザが属するグループを特定し、
該特定されたグループに所属する他のユーザの注文履歴を読み出し、
該注文履歴を参照して、前記複数の画像データからおすすめ画像を決定し、
該決定したおすすめ画像に対応する画像データを読み込み、
該読み込んだ画像データを前記プリント注文装置へ、おすすめ画像として送信する
ことを特徴とするおすすめ画像選択提示方法。
【請求項６】
前記おすすめ画像を決定する際に、前記注文履歴から最近注文された画像をおすすめ画像とすること
を特徴とする請求項５に記載のおすすめ画像提示方法。
【請求項７】
前記おすすめ画像を決定する際に、前記注文履歴から、注文された回数が最も多い画像をおすすめ画像とすること
を特徴とする請求項５に記載のおすすめ画像提示方法。
【請求項８】
前記おすすめ画像を決定する際に、前記注文履歴から、一定期間内で注文された回数が最も多い画像をおすすめ画像とすること
を特徴とする請求項５に記載のおすすめ画像提示方法。
【請求項９】
コンテンツを共有する特定のユーザが利用可能なネットワークにおけるネットプリントシステムであって、
各プリント注文装置は画像データを保存する画像保存装置とプリント注文の注文履歴を管理する注文履歴管理装置とを備え、他の画像保存装置が有する画像データを互いに利用可能で、互いに直接通信可能な複数のプリント注文装置と、
画像プリントの注文を受ける画像プリント受注装置と、
を備え、
前記プリント注文装置は、通信可能である他のプリント注文装置から当該他のプリント注文装置の注文履歴を取得し、該取得した前記注文履歴を参照しておすすめ画像を決定し、該決定したおすすめ画像に対応する画像データを前記プリント注文装置あるいは前記他のプリント注文装置の前記画像保存装置から取得し、該読み出した画像データをおすすめ画像として表示する、
ことを特徴とするネットプリントシステム。
【請求項１０】
前記プリント注文装置は、おすすめ画像を決定する際に、前記取得した注文履歴の中から最近注文された画像をおすすめ画像とする、
ことを特徴とする請求項９に記載のネットプリントシステム。
【請求項１１】
前記プリント注文装置は、おすすめ画像を決定する際に、前記取得した注文履歴の中から注文された回数が最も多い画像をおすすめ画像とする、
ことを特徴とする請求項９に記載のネットプリントシステム。
【請求項１２】
前記プリント注文装置は、おすすめ画像を決定する際に、前記取得した注文履歴の中から、一定期間内で注文された回数が最も多い画像をおすすめ画像とする、
ことを特徴とする請求項９に記載のネットプリントシステム。
【請求項１３】
各ユーザのプリント注文履歴と複数の画像データを有し、互いに通信可能な複数のプリント注文装置で構成されるネットワークにおいて、前記ユーザにおすすめ画像を選択し提示する方法であって、
第１のプリント注文装置からおすすめ画像の要求を他の複数のプリント注文装置へ送信し、
前記第１のプリント注文装置が該他の複数のプリント注文装置が有する注文履歴を参照し、
前記第１のプリント注文装置が、該注文履歴に基づきおすすめ画像を決定し、
前記第１のプリント注文装置が、前記他の複数のプリント装置のうち該決定したおすすめ画像に対応する画像データを保持する一のプリント注文装置から、該画像データを読み込み、
前記第１のプリント注文装置が、該画像データをおすすめ画像として表示する
ことを特徴とするおすすめ画像選択提示方法。
【請求項１４】
前記おすすめ画像を決定する際に、前記注文履歴から最近注文された画像をおすすめ画像とすること
を特徴とする請求項１３に記載のおすすめ画像選択提示方法。
【請求項１５】
前記おすすめ画像を決定する際に、前記注文履歴から、注文された回数が最も多い画像をおすすめ画像とすることを特徴とする請求項１３に記載のおすすめ画像提示方法。
【請求項１６】
前記おすすめ画像を決定する際に、前記注文履歴から、一定期間内で注文された回数が最も多い画像をおすすめ画像とすること
を特徴とする請求項１３に記載のおすすめ画像提示方法。
【請求項１７】
複数のプリント注文装置が接続可能なネットプリントシステムを管理するサーバ装置であって、
複数の画像データを保存する画像保存部と、
共通の注文傾向を有するユーザから構成される複数のグループを管理し、各ユーザの所属するグループを示す情報を保存するユーザ管理部と、
各ユーザの注文履歴を保存する注文履歴保存部と、
各部を制御する制御部と、
を備え、
前記制御部は、おすすめ画像の要求を送信した画像プリント装置のユーザと該ユーザが所属するグループを前記ユーザ管理部が保存する情報に基づき特定し、前記注文履歴保存部に保存されている前記グループに属する他のユーザの注文履歴を参照しておすすめ画像を決定し、該決定したおすすめ画像に対応する画像データを前記画像データ保存部から読み込み、該読み込んだ画像データを、前記要求を送信したプリント注文装置におすすめ画像として送信する、
ことを特徴とするサーバ装置。
【請求項１８】
互いに他のプリント注文装置と直接通信が可能で、画像データを共有する特定のユーザが画像の閲覧・プリント画像の選択・プリント注文が可能なプリント注文装置であって、
複数の画像データを保存する画像保存装置と、
ユーザのプリント注文履歴を保存し更新する注文履歴管理装置と、
を有し、
他のプリント注文装置へおすすめ画像の要求を送信し、
他のプリント注文装置から注文履歴を受信し、
該受信した注文履歴に基づき、おすすめ画像を決定し、
該決定したおすすめ画像に対応する画像データを保持する他のプリント注文装置へ、画像データの要求を送信し、
おすすめ画像に対応する画像データを受信し、
該受信した画像データをおすすめ画像として表示する
ことを特徴とするプリント注文装置。
【請求項１９】
前記他のプリント注文装置からおすすめ画像の要求を受信すると、注文履歴管理装置から注文履歴を読み込み、
該読み込んだ注文履歴を、前記他のプリント注文装置へ送信し、
前記他のプリント注文装置から、おすすめ画像に対応する画像データの要求を受信すると、該画像データを前記画像保存装置から読み込み、
該読み込んだ画像データを前記他のプリント装置へおすすめ画像として送信する、
ことを特徴とする請求項１８のプリント注文装置。
【発明の詳細な説明】
【技術分野】
【０００１】
本発明は、ユーザにプリントをすすめる画像を、複数の画像データの中から自動的に選択し提示する装置、方法に関ものである。
【背景技術】
【０００２】
近年、デジタルカメラの普及と画像を保存しておくための記録媒体の容量が飛躍的に大きくなったことにより、ユーザは多くの画像を一つの媒体内に保持することが可能になった。加えて、ネットワーク技術の発達により、複数のユーザがサーバを介して、あるいは、各ユーザの端末どうしが直接、データを交換／共有することが可能になり、画像データ・動画像データなど容量の大きなコンテンツを多数共有することが可能となっている。
【０００３】
その一方で、プリントなどの処理をすべき画像を膨大な画像データ・動画像データの中から選ぶという手間が生じており、効率的に画像を選択するために最終的にユーザがプリントする画像として判断する前にある程度の条件で画像を絞り込む機能や、ユーザのプリント注文傾向に合わせてプリントに適した画像を選択する機能が求められている。
【０００４】
特許文献１は、デジタル写真の写真プリントをする際に、写真から得られる属性データ（画像の明るさ・加速度センサ・ＡＦ評価等）に基づきプリントに適したデジタル写真を選択し、ユーザに対してプリントを推奨する機能を開示している。
【０００５】
また一般的に、オンラインショッピングサイトでは、他人の購入履歴情報から関連商品の購入を勧める機能が実現されている。
【０００６】
特許文献２は、不特定多数のユーザが利用可能なＰ２Ｐ（ピア・ツー・ピア）のシステムにおいて、特定のユーザのグループをつくり、該グループ内でのみ画像データ等のコンテンツを共有するためのユーザや装置の認証方法等の技術を開示している。
【０００７】
写真の重要度や嗜好は個人の事情によるものであって、特許文献１のように画質や撮影条件に注目しただけでは、ユーザのプリント傾向に沿ってプリントすべき画像を判断することは困難である。また、オンラインショッピングサイトで実現されているように、不特定多数の他人のプリント傾向を考慮しておすすめ画像を選択しても、やはり、ユーザのプリント傾向に沿ったものにはならない。特許文献２では、特定のグループ内で画像データを共有することまでは、実現されているが同じグループ内のユーザの、プリント傾向を解析する技術については、開示していない。
【０００８】
従って、ユーザがプリントする写真（画像データ）を他人の所有する画像から選べるようにはなっても、他人の注文履歴から自動的におすすめ画像を推測する技術は実現されておらず、ユーザは、より多くの画像データの中からプリントする画像を選択する必要が生じ、その手間は軽減されていないのが実情である。
【特許文献１】特開２００２−１０１７９号公報
【特許文献２】特開２００４-５０７４号公報
【発明の開示】
【発明が解決しようとする課題】
【０００９】
そこで本発明は、共通のプリント傾向を持つグループ内の他人のプリント注文履歴を元に、ユーザにプリントを推奨する画像を自動的に選択し提示する装置等を提供することを目的とする。より具体的には、複数のユーザがサーバを介して、あるいは、直接、情報交換がネットワークにおいて、ユーザにプリントを推奨する画像を選択し提示するおすすめ機能付ネットプリントシステム、方法、サーバ装置、プリント注文装置を提供することを目的とする。
【課題を解決するための手段】
【００１０】
本発明のネットプリントシステムは、ネットワークを管理するサーバ装置と、前記サーバ装置が有し画像データを保存する画像データ保存装置と、前記サーバ装置が有し注文履歴を保存する注文履歴保存装置と、前記サーバ装置が有し、共通の注文傾向を有するユーザから構成される複数のグループを管理し、各ユーザの所属するグループを示す情報を保存するユーザ管理装置と、前記ネットワークに接続され、前記ユーザが、当該ネットワークを経由して前記画像データを閲覧し、前記画像データの中から任意の画像データを選択し、前記選択した画像データのプリントを注文するための指示を出すことが可能な、複数のプリント注文装置であって、おすすめが画像の要求を送信可能なプリント注文装置、から構成されるネットプリントシステムであって、前記サーバ装置は、前記プリント注文装置により前記おすすめ画像の要求を送信したユーザが所属するグループを前記ユーザ管理装置から特定し、前記注文履歴保存装置に保存されている前記グループに属する他のユーザの注文履歴を参照しておすすめ画像を決定し、前記画像データ保存装置から該決定したおすすめ画像に対応する画像データを読み込み、前記読み込んだ画像データを前記おすすめ画像の要求を送信したプリント注文装置におすすめ画像として送信することを特徴とするものである。
【００１１】
ここで、「サーバが有する」とは、サーバ装置に内蔵されている状態、外部装置としてサーバ装置に接続されている状態、あるいは、サーバ装置からアクセス可能な状態をいうものである。
【００１２】
また、互いに直接通信可能な複数のプリント注文装置で構成されるいわゆるピア・ツー・ピア・システムを利用し、互いにコンテンツを共有する複数のユーザとプリント注文装置が予め特定されているネットプリントシステムであって、各プリント注文装置は画像データを保存する画像保存装置とプリント注文の注文履歴を管理する注文履歴管理装置とを備え、他の画像保存装置が有する画像データを互いに利用可能で、互いに直接通信可能な複数のプリント注文装置から構成され、前記プリント注文装置は、通信可能な他のプリント注文装置から当該他のプリント注文装置の注文履歴を取得し、該取得した前記注文履歴を参照しておすすめ画像を決定し、該決定したおすすめ画像に対応する画像データを前記プリント注文装置あるいは前記他のプリント注文装置の前記画像保存装置から読み出し、該読み出した画像データをおすすめ画像として表示することを特徴とするものである。
【００１３】
いずれのネットプリントシステムにおいても、おすすめ画像を決定する際に、例えば、参照した注文履歴の中で、注文された回数が最も多い画像をおすすめ画像としてもよいし、あるいは、最近注文された画像をおすすめ画像としてもよい、また、一定期間に最も多く注文された画像をおすすめ画像としてもよい。
【発明の効果】
【００１４】
本発明のネットプリントシステムによれば、共通するプリント傾向を有するユーザから構成されるグループ内で、他人の注文履歴を元に、ユーザのプリント傾向を反映したプリント推奨画像の選択・提示が実現される。
【発明を実施するための最良の形態】
【００１５】
以下、本発明の実施の形態について説明する。
【００１６】
（実施形態１）
本実施形態のネットプリントシステムの構成は、図１に示すものである
ネットプリントシステム１は、Ｗｅｂサーバ（サーバ装置）１００、ユーザ名とユーザが所属するグループなどのユーザ情報を管理するユーザ管理装置１０１、複数の画像データを保持する画像保存装置１０２、ユーザがプリントを注文した画像・日時等の注文履歴をユーザごとに保持する注文履歴管理装置１０３、画像をプリントする注文を受け付ける画像プリント受注装置１０４、複数のプリント注文装置２００ａ，２００ｂから構成される。
【００１７】
ここで、Ｗｅｂサーバ１００は、ユーザ管理装置１０１、画像保存装置１０２、注文履歴管理装置１０３、画像プリント受注装置１０４を内蔵していてもよいし、外部装置として接続していてもよいし、ネットワーク上でアクセス可能な状態であってもよい。
【００１８】
ユーザ管理装置１０１は、例えば図２に示すように、ユーザ名、ユーザのパスワード、ユーザが属するグループといった、ユーザに関する情報を保持している。ここで、ユーザが属するグループとは、社内のサークル、結婚式・旅行等の同一のイベントに参加した参加者の集団等、同じ思い出や趣味を共有するグループであって、共通のプリント傾向を持つと考えられるユーザの集団をいう。
【００１９】
画像保存装置１０２は、複数の画像データを保持するものであり、より好適には、前記グループごとに共有する画像群を分けて保持しているものである。
【００２０】
注文履歴管理装置１０３は、例えば図３に示すように、ユーザ名・注文画像・注文時刻等の情報を注文履歴として、保持するものである。
【００２１】
プリント注文受注装置１０４は、各ユーザがプリント注文装置から送信したプリント注文を受ける装置であって、受注後、画像をプリントするようプリンタ等への指示信号を生成・送信等するものである。プリント注文受注装置が受受けた注文は、前記注文履歴保存装置１０３へ送られ、注文履歴が更新される。
【００２２】
プリント注文装置２００ａ、２００ｂは、ユーザがログインして画像の閲覧・選択・注文等の操作を実行するための装置である。その表示画面は、例えば図４に示すように、ユーザが閲覧している画像データＰＨＯＴＯ１〜４の下方に、プリントを推奨するおすすめ画像をＰＨＯＴＯ  Ａ、ＰＨＯＴＯ  Ｂとして表示するようになっている。表示されている画像から、例えば、ユーザがプリントする画像を選択し、「注文する」というアイコンを選択すると、選択された画像のプリント注文が前記プリント注文受注装置１０４へ送信される。プリント注文装置は、選択可能な画像データ（ＰＨＯＴＯ１〜４）を表示すると自動的に、あるいは、ユーザの操作によって、おすすめ画像を要求する信号を前記Ｗｅｂサーバ１００へ送信する。
【００２３】
上記構成による、おすすめ画像の選択・提示の手順を、図５を参照しながら説明する。
【００２４】
まず、プリント注文装置が画像の閲覧を開始して画像プリントを注文するという一連の動作は、主に、３つのステップに分けられる。
【００２５】
Ｓｔ．１：プリント注文装置から画像の一覧をＷｅｂサーバに要求し、要求を受けたＷｅｂサーバが画像保存装置から画像データを読み込んで該プリント注文装置へ送信し、送信された画像データを表示するステップと、
Ｓｔ．２：プリント注文装置からおすすめ画像を要求する信号がＷｅｂサーバに送信され、要求を受けたＷｅｂサーバがおすすめ画像を決定し、おすすめ画像に対応する画像データを画像保存装置から読み込んで該プリント注文装置へ送信し、送信された画像データを表示するステップと、
Ｓｔ．３：表示された画像一覧並びにおすすめ画像からユーザが画像を選択し、プリント注文を送信し、プリント注文履歴を更新するステップである。
【００２６】
尚、Ｓｔ．１において画像データを一覧として送信する際には、実データではなくサムネイル画像を送信すると、データ量が小さくて済み、より好適である。
【００２７】
特に、おすすめ画像を要求する信号を送信してから、おすすめ画像が表示されるまでの手順を以下に示す。
【００２８】
プリント注文装置において画像の一覧が表示されると自動的、あるいは、ユーザの操作によって、おすすめ画像の要求信号が、Ｗｅｂサーバへ送信される（Ｓｔ．２０１）。次に、該要求信号を受けたＷｅｂサーバは、注文履歴保存装置から注文履歴を読み込み、前記プリント注文装置から該要求信号を送信したユーザが属するグループの他のユーザの注文履歴に基づきおすすめ画像を選択する（Ｓｔ．２０２）。さらに、Ｗｅｂサーバは、選択したおすすめ画像に対応する画像データを画像保存装置から読み込む（Ｓｔ．２０３）。続いて、読み込んだ画像データを、前記プリント注文装置へおすすめ画像として送信する（Ｓｔ．２０４）。おすすめ画像の画像データを受信したプリント注文装置は、表示部の所定の領域に、該画像データをおすすめ画像として表示する（Ｓｔ．２０５）。
【００２９】
ここで、Ｗｅｂサーバがおすすめ画像を決定する際には、例えば、注文履歴から最も注文された回数が多い画像を特定し、それをおすすめ画像としてもよいし、また、最近注文された画像をおすすめ画像としてもよい。あるいは、一定期間内で最も多く注文された画像をおすすめ画像とするものでもよい。
【００３０】
以上の構成、手順を用いて、ユーザがプリントする画像を選択する際に共通のプリント傾向を有する他のユーザの注文履歴に基づきおすすめ画像を選択することで、ユーザのプリント傾向に沿ったおすすめ画像を自動的に選択・表示することが可能となる。
【００３１】
（実施形態２）
本実施形態のネットプリントシステム２は、図６に示すように、いわゆるピア・ツー・ピア・システムを利用したもので、プリント注文装置４００ａ，４００ｂは互いに直接通信可能であり、画像データ等のコンテンツを共有することが可能である。また、４００a，４００ｂを利用するユーザは、互いにコンテンツを共有するユーザとして予め特定されているものとする。
【００３２】
プリント注文装置４００ａは、ユーザがログインして画像の閲覧・選択・注文等の操作を実行するための装置であり、複数の画像データを保存する画像保存装置４０１ａと、ユーザが行った画像プリントの履歴を注文履歴として保存し更新する注文履歴管理装置４０２ａとを備えるものである。他プリント注文装置も同様に、少なくとも画像を保存しておく手段と、注文履歴を管理する手段を備えるものとする。また、図７は、注文履歴管理装置４０２ａ，４０２ｂが保存している注文履歴の例である。尚、プリント注文装置４００ａ，４００ｂの表示画面は、実施形態１のプリント注文装置２００ａ，２００ｂの表示画面と同様のものである。
【００３３】
プリント受注装置３０４は、実施形態１のプリント受注装置１０４とほぼ同様のもので、各プリント注文装置から画像のプリントを受けて、外部のプリント手段等に画像のプリントを実施するよう指示を送信するなどの機能を有する。
【００３４】
本実施形態のネットプリントシステムにおけるおすすめ画像要求から表示までの手順を、図８を参照しながら説明する。
【００３５】
まず、プリント注文装置４００ａが、他のプリント注文装置４００ｂに対しておすすめ画像の要求を送信する（Ｓｔ．４０１）。このとき、プリント注文装置が他にも複数存在すれば、それぞれに要求を送信する。
【００３６】
続いて、要求を受けたプリント注文装置４００ｂは、注文履歴管理装置４０２ｂより注文履歴を読み込み（Ｓｔ．４０２）、これをプリント注文装置４００ａへ送信する（Ｓｔ．４０３）。他のプリント注文装置からも、それぞれが読み込んだ注文履歴がプチント注文装置４００ａへ送信される。
【００３７】
注文履歴を受信したプリント注文装置４００ａは、注文履歴を参照して、おすすめ画像を選択する（Ｓｔ．４０４）。続いて、選択したおすすめ画像を所有するプリント注文装置（ここでは、４００ｂとする）に対して、おすすめ画像の画像データを要求する（Ｓｔ．４０５）。
【００３８】
画像データを要求されたプリント注文装置４００ｂは、画像保存装置４０１ｂから該当する画像データを読み込み（Ｓｔ．４０６）、読み込んだ画像データをおすすめ画像としてプリント注文装置４００ａへ送信する（Ｓｔ．４０７）。
【００３９】
プリント注文装置４００ａは、受信した画像データをおすすめ画像として表示する（Ｓｔ．４０８）。
【００４０】
ここではおすすめ画像を、おすすめ画像要求を送信したプリント注文画装置４００ａが決定するという手順を説明したが、例えば、おすすめ要求を受信した各プリント注文装置側でおすすめ画像を決定して、画像データを読み込み、おすすめ画像要求を送信したプリント注文装置４００ａへ該画像データを送信するものであってもよい。
【００４１】
また、注文履歴からおすすめ画像を決定する際に、注文された回数が最も多い画像をおすすめ画像としてもよいし、最近注文された画像をおすすめ画像としてもよいし、あるいは、一定期間内で最も多く注文された画像をおすすめ画像としてもよい。
【００４２】
おすすめ画像の表示後ユーザが画像を選択し、プリント注文をプリント受注装置３０４へ送信すると、プリント注文装置４００ａが有する注文履歴管理装置４０２ａでは、注文履歴を更新する。
【００４３】
以上の構成、手順を用いて、ユーザがプリントする画像を選択する際に共通のプリント傾向を有する他のユーザの注文履歴に基づきおすすめ画像を選択することで、ユーザのプリント傾向に沿ったおすすめ画像を自動的に選択・表示することが可能となる。
【００４４】
以上、実施形態１並びに実施形態２のネットプリントシステムによれば、共通のプリント傾向を持つ他のユーザの注文履歴から、自動的にプリントを推奨する画像を選択し提示することが可能となり、ユーザが多くの画像データの中からプリント画像を選択する際の手間を軽減することができる。
【図面の簡単な説明】
【００４５】
【図１】実施形態１のネットプリントシステムの構成を示すブロック図。
【図２】実施形態１のユーザ管理装置が保持するユーザ情報の例を示す図。
【図３】実施形態１の注文履歴管理装置が保持する注文履歴の例を示す図。
【図４】実施形態１のユーザ管理装置が保持するデータの例を示す図。
【図５】実施形態１のネットプリントシステムにおけるプリント注文の手順を示すブロック図。
【図６】実施形態２のネットプリントシステムの構成を示すブロック図。
【図７】実施形態２の注文履歴管理装置が保持する注文履歴の例を示す図。
【図８】実施形態２のネットプリントシステムにおけるプリント注文の手順を示すブロック図。
【符号の説明】
【００４６】
１，２  ネットプリントシステム
１００  Ｗｅｂサーバ
１０１  ユーザ管理装置
１０２  画像保存装置
１０３  注文履歴管理装置
１０４  プリント受注装置  
２００ａ，２００ｂ  プリント注文装置
３０４  プリント受注装置
４００ａ，４００ｂ  プリント注文装置
４０１ａ，４０１ｂ  画像保存装置
４０２ａ，４０２ｂ  注文履歴管理装置
【図１】
2006178743.tif 000003
【図２】
2006178743.tif 000004
【図３】
2006178743.tif 000005
【図４】
2006178743.tif 000006
【図５】
2006178743.tif 000007
【図６】
2006178743.tif 000008
【図７】
2006178743.tif 000009
【図８】
2006178743.tif 000010